(57)【要約】【課題】  気密状態を保持したままでフィルタの交換を簡単に行えるフィルタ装置を提供する【解決手段】ガスが流通する空間を有するチャンバ１と、このチャンバ１内に取り付けられたフィルタ２とを備えたフィルタ装置であって、前記チャンバ１は、フィルタ交換口１３と、フィルタを昇降させるフィルタ昇降手段３と、上昇したフィルタ２が押し付けられるフィルタ押し付け枠４と、を備え、フィルタ昇降手段３は、フィルタ２が載置されるフィルタ載置部３１と、このフィルタ載置部３１の下部に取り付けられた昇降部３２と、この昇降部３２に係合し、先端が前記チャンバ１より外に突出すると共に、チャンバ１の外からの回転操作により昇降部３２を昇降させる操作部３３と、を備える。【選択図】図２
2016159283.tif 000002
【特許請求の範囲】
【請求項１】
ガス導入口とガス排出口とを有し、ガス導入口側からガス排出口側へとガスが流通する空間を有するチャンバと、
このチャンバ内を流通するガスをろ過するフィルタとを備えたフィルタ装置であって、
前記チャンバは、
前記フィルタを交換するためのフィルタ交換口と、
このフィルタ交換口から導入されたフィルタが載置された状態で、フィルタを昇降させるフィルタ昇降手段と
上昇したフィルタが押し付けられるフィルタ押し付け枠と、
を備え、
前記フィルタ昇降手段は、
上部にフィルタが載置される昇降部と、
この昇降部に係合し、先端が前記チャンバより外に突出すると共に、チャンバの外からの回転操作により昇降部を昇降させる操作部と、
を備えたことを特徴とするフィルタ装置。
【請求項２】
前記昇降部は、前記フィルタ載置部となる上枠と、この上枠より下方に設けた下枠と、これら上枠と下枠との間に配置されたＸ字形に交差した支持脚とを備え、
一方の支持脚の一端に取り付けた車輪を上枠に走行可能に取り付け、且つ一方の支持脚の他端を下枠に回転自在に取り付け、
他方の支持脚の一端に取り付けた車輪を下枠に走行可能に取り付け、且つ一方の支持脚の他端を上枠に回転自在に取り付け、
さらに、前記操作部が、両支持脚の車輪が回転可能に取り付けられた車軸に設けたねじ穴に螺合貫通したねじ棒を有し、このねじ棒の回転操作により前記車軸をねじ棒の長手方向に移動可能にした請求項１に記載のフィルタ装置。
【請求項３】
前記操作部が、前記チャンバの気密状態を保持したまま前記チャンバより外に突出し、且つ回転可能に構成されている請求項１または２に記載のフィルタ装置。
【請求項４】
前記フィルタ昇降手段に、フィルタ載置部の端部と面一に溶接されたアングルが設けられる請求項１〜３のいずれかに記載のフィルタ装置。
【発明の詳細な説明】
【技術分野】
【０００１】
本発明は、チャンバ内にてフィルタ交換可能なフィルタ装置に関する。
【背景技術】
【０００２】
一般に、人体に悪影響を及ぼしかねない有害物質を含んだ空気などの汚染ガスを発生する工場や研究施設などには、その汚染ガスを清浄化（濾過）して排気するためのフィルタ装置が設置されている。このようなフィルタ装置は完全気密構造で、汚染ガスが流通する空間（チャンバ）内には導入した汚染ガスを捕集除去するフィルタが取り付けられている。そのため、チャンバ内のフィルタ交換は、汚染ガスを外部に漏らすことなく、装置本体に形成したフィルタ交換口を利用して完全にシールした状態で行うことが必要である。
【０００３】
例えば、特許文献１には、装置本体に汚染ガス導入口と処理済ガス排出口とフィルタ交換口を形成し、装置本体内部にはフィルタ受け面と仕切板とを設けた完全気密構造の空気清浄化装置が示されている。この空気清浄化装置では、フィルタ受け面と仕切板との間にフィルタを塔載したフィルタ受け台を設け、この受け台を上昇させてフィルタをフィルタ受け面に押し付け、フィルタ交換時には受け台を下降させるようにしている。
そして、この空気清浄化装置では、フィルタ受け台の昇降を受け台の側部に設けたレバーで操作するようにしている。
【０００４】
しかしながら、前記レバーは装置本体内にあり、フィルタ交換口に取り付けたグローブに使用者が手を差し入れて操作する必要があったため、操作が煩雑であり、また有害物質が漏洩する恐れがあった。
【先行技術文献】
【特許文献】
【０００５】
【特許文献１】特開２０１４−１８７９０号公報
【発明の概要】
【発明が解決しようとする課題】
【０００６】
本発明の課題は、気密状態を保持したままでフィルタの交換を簡単に行えるフィルタ装置を提供することである。
【課題を解決するための手段】
【０００７】
本発明者は、上記課題を解決すべく鋭意検討した結果、本発明を完成するに至った。すなわち、本発明は、以下の構成からなる。
（１）ガス導入口とガス排出口とを有し、ガス導入口側からガス排出口側へとガスが流通する空間を有するチャンバと、このチャンバ内を流通するガスをろ過するフィルタとを備えたフィルタ装置であって、前記チャンバは、前記フィルタを交換するためのフィルタ交換口と、このフィルタ交換口から導入されたフィルタが載置された状態で、フィルタを昇降させるフィルタ昇降手段と上昇したフィルタが押し付けられるフィルタ押し付け枠と、を備え、  前記フィルタ昇降手段は、上部にフィルタが載置される昇降部と、この昇降部に係合し、先端が前記チャンバより外に突出すると共に、チャンバの外からの回転操作により昇降部を昇降させる操作部と、を備えたことを特徴とするフィルタ装置。
（２）  前記昇降部は、前記フィルタ載置部となる上枠と、この上枠より下方に設けた下枠と、これら上枠と下枠との間に配置されたＸ字形に交差した支持脚とを備え、一方の支持脚の一端に取り付けた車輪を上枠に走行可能に取り付け、且つ一方の支持脚の他端を下枠に回転自在に取り付け、他方の支持脚の一端に取り付けた車輪を下枠に走行可能に取り付け、且つ一方の支持脚の他端を上枠に回転自在に取り付け、さらに、前記操作部が、両支持脚の車輪が回転可能に取り付けられた車軸に設けたねじ穴に螺合貫通したねじ棒を有し、このねじ棒の回転操作により前記車軸をねじ棒の長手方向に移動可能にした（１）に記載のフィルタ装置。
（３）前記操作部が、前記チャンバの気密状態を保持したまま前記チャンバより外に突出し、且つ回転可能に構成されている（１）または（２）に記載のフィルタ装置。
（４）前記フィルタ昇降手段に、フィルタ載置部の端部と面一に溶接されたアングルが設けられる（１）〜（３）のいずれかに記載のフィルタ装置。
【発明の効果】
【０００８】
本発明によれば、チャンバの外に突出した操作部を回転操作するだけで、フィルタを載置したフィルタ昇降手段を昇降させられるので、フィルタ交換時にチャンバ内の気密状態を保持でき、従ってフィルタ交換が簡単に行なうことができるという効果がある。
また、前記操作部を回転させるだけの操作のため、操作部のチャンバ内への挿入孔をシールするシール材に負担がかかりにくく、シール材の交換周期が遅くなるという効果もある。
【図面の簡単な説明】
【０００９】
【図１】（ａ）は本発明の実施形態に係るフィルタ装置の正面図であり、（ｂ）は側面図である。
【図２】フィルタ装置のチャンバ内で昇降部が上昇したフィルタ使用状態におけるチャンバ内の部分側面図である。
【図３】（ａ）は昇降部が下降したフィルタ開放状態を示す、チャンバ内の部分正面図であり、（ｂ）は昇降部が上昇したフィルタ使用状態を示す、チャンバ内の部分正面図である。
【図４】（ａ）は昇降部の上枠における車輪の走行機構を示す部分側面図であり、（ｂ）は（ａ）のＸ−Ｘ線断面図である。
【図５】（ａ）は昇降部の下枠における車輪の走行機構を示す部分側面図であり、（ｂ）は（ａ）のＹ−Ｙ線断面図である。
【図６】昇降部の操作部を説明するための部分破断斜視図である。
【発明を実施するための形態】
【００１０】
以下、本発明の実施形態に係るフィルタ装置を図１〜図６に基づいて説明する。
【００１１】
図１（ａ）、（ｂ）に示すように、フィルタ装置のチャンバ１は、上部にガス導入口１１と下部にガス排出口１２とを有し、ガス導入口１１側からガス排出口１２側へとガスが流通する気密空間であり、フィルタ２を交換するためのフィルタ交換口１３を開閉する扉１３０と、プレフィルタ２１を交換するためのプレフィルタ交換口を開閉する扉１３２とを前面に有する。
さらに、チャンバ１内には、は、図２に示すように、フィルタ交換口１３から導入されたフィルタ２を昇降させるフィルタ昇降手段３と、上昇したフィルタ２が押し付けられるフィルタ押し付け枠４とを備える。そして、チャンバ１内は、フィルタ２を介して、ガス導入口１１側の一次空間１ａとガス排出口１２側の二次空間１ｂとに仕切られる。前記チャンバ１内にガス導入口１１側から流入した汚染ガスは、チャンバ１内の一次空間１ａからフィルタ２を通って濾過された後、二次空間１ｂのガス排出口１２から排出される。
【００１２】
フィルタ２は、フィルタ昇降手段３においてフィルタ２を載置するフィルタ載置部上枠３１に載置され、フィルタ昇降手段３を上昇させることによりフィルタ押し付け枠４にフィルタ２の上面が密接するよう押し付けられる。フィルタ２の上面には、図３（ａ）に示すように、気密性を維持するためのパッキン２０が設けられている。
【００１３】
フィルタ昇降手段３は、フィルタ載置部となる上枠３１を含む昇降部３２と、この昇降部３２に係合し、チャンバ１の外からの回転操作により昇降部３２を昇降させる操作部３３とを備える。フィルタ昇降手段３は、フィルタ２の下方の前記二次空間１ｂ内に設けられる。
【００１４】
図２に示すように、昇降部３２は、上枠３１と、下枠３５と、これら上枠３１と下枠３５との間に配置されＸ字形に交差した支持脚３６ａ、３６ｂとを備える。下枠３５は、チャンバ１の内壁面に取り付けられたアングル４０、４０間に架設された支持枠４１上に取り付けられている。
【００１５】
支持脚３６ａ、３６ｂは、図２に示すように、上枠３１と下枠３５との間で、チャンバ１の奥行き方向にＸ字形に交差する部位において連結軸３６１で回転自在に軸支される。支持脚３６ａ、３６ｂの一端には、それぞれ車輪３７ａ、３７ｂが回転自在に取り付けられ、他端は、上枠３１と下枠３５にそれぞれボルト３４１で回転自在に取り付けられる。
【００１６】
また、支持脚３６ａ、３６ｂは、図３（ａ）、（ｂ）に示すように、昇降部３２の両側にそれぞれ一対ずつ取り付けられ、連結軸３６１で回転自在に連結される。すなわち、支持脚３６ａの一端に回転自在に取り付けられた車輪３７ａは、フィルタ載置部となる上枠３１に位置し、一方、支持脚３６ｂの一端に回転自在に取り付けられた車輪３７ｂは、下枠３５に位置する。昇降部３２の両側に取り付けられた２つの車輪３７ａ、３７ａは車軸３８ａによって走行可能に連結される。同様に、他の２つの車輪３７ｂ、３７ｂも車軸３８ｂによって走行可能に連結される。
【００１７】
上枠３１における車輪３７ａの走行機構を図４（ａ）、（ｂ）に示す。同図に示すように、上枠３１の内面には、断面Ｌ字形の上部ガイド板３４ａが取り付けられており、この上部ガイド板３４ａの下側水平面部上に車輪３７ａが走行自在に載置される。
【００１８】
下枠３５における車輪３７ｂの走行機構を図５（ａ）、（ｂ）に示す。同図に示すように、車輪３７ａは、断面Ｌ字形の下枠３５の下側水平面部上に走行自在に載置される。下枠３５には、上側水平面部を有する断面Ｌ字形の下部ガイド板３４ｂが取り付けられて、車輪３７ａの脱輪等を防止している。
上部ガイド板３４ａおよび下部ガイド板３４ｂは、ボルト３５１で上枠３１および下枠３５の内面にそれぞれ取り付けられている。
なお、断面Ｌ字形の上枠３１と上部ガイド板３４ａの組み合わせに代えて、断面コ字形の上枠を使用して、このコ字形断面の上枠内に車輪３７ａを収容し、走行させるようにしてもよい。同様に、断面Ｌ字形の下枠３５と下部ガイド板３４ｂの組み合わせに代えて、断面コ字形の上枠を使用してもよい。
【００１９】
下枠３５内を走行する２つの車輪３７ｂ、３７ｂを連結する車軸３８ｂは、図６に示すように、中央部にねじ穴４２が設けられており、このねじ穴４２に、操作部３３の有するねじ棒３９が螺合貫通している。これにより、ねじ棒３９を回転させると、ねじ棒３９に螺合した車軸３８ｂがねじ棒の長手方向に移動可能（すなわち前進後退）が可能となる。
【００２０】
操作部３３は、図１（ａ）、(ｂ)に示すように、一端がチャンバ１から外部に突出している。このとき、チャンバ１内の気密状態を保持するために、操作部３３がチャンバ１を貫通する部位は、例えばＯリング等のシール材が取り付けられる。図２において、符号５は、シール材を収容したケースであり、例えば、劣化の激しい屋外での使用においても、フィルタ２や昇降手段３２を取り外すことなく、ケース５を外して、簡単にシール材を交換可能である。
【００２１】
また、ねじ棒３９には、図６に示すように、ストッパ７を取り付けていてもよい。ストッパ７によって車軸３８ｂの進行を阻止できるので、昇降部３２が破損するのを防止することができる。図６には、ストッパ７として、ロックナットを例示しているが、これに限定されるものではない。
【００２２】
また、フィルタ交換口１３に近い上枠３１の正面には、フィルタ交換時にフィルタ２を傷つけずに、フィルタ載置部である上枠３１上へ載置するためのガイド６(例えばアングル)を設けてもよい。ガイド６は、上枠３１よりも幅広で構成され、上枠３１に溶接等によって接合される。このとき、上枠３１の上面と同一面であるのが好ましい。
【００２３】
次に、フィルタ２の交換方法を図３（ａ）、（ｂ）を用いて説明する。
まず、図３（ａ）に示すように、操作部３３を一方向に回転させて、ねじ棒３９が螺合貫通した車軸３８ｂをねじ棒３９の長手方向に沿ってフィルタ交換口１３に向かって移動させ(図６を参照)、これにより昇降部３２を下降させて、フィルタ２の押し付けを緩めた後、フィルタ２をチャンバ１から、フィルタ交換口１３に取り付けられたバッグ１３１内に引き出し、バッグ１３１を溶断してフィルタ２を取り出す。
【００２４】
ついで、新しいフィルタ２を収容したバッグ１３１をフィルタ交換口１３に取り付け、バッグ１３１から新しいフィルタ２を上枠３１のフィルタ載置部上に移動させて載置し、操作部３３を前記と逆方向に回転させる。これにより、車軸３８ｂは、ねじ棒３９の長手方向に沿ってフィルタ交換口１３から離れる方向に移動し、これにより昇降部３２を上昇させ、フィルタ押し付け枠４にフィルタ２上面のパッキン２０を押し付け、密着させて、フィルタ２の交換が完了する。
【００２５】
本実施形態のフィルタ装置によれば、フィルタ２の交換時に、チャンバ１の外に突出した操作部３３のねじ棒３９を回転操作するだけで、ねじ棒３９が螺合する車軸３８ｂがねじ棒３９を長手方向に移動し、軸心３６１にて相互に軸支された支持脚３６ａ、３６ｂが上枠３１、下枠３５をそれぞれスライド移動して、フィルタ２を載置した昇降部３２を昇降させられるので、チャンバ１内の気密状態を保持でき、フィルタ交換が簡単に、かつ安全に行なうことができる。
また、この操作部３３のねじ棒３９が回転だけの操作のため、ねじ棒３９が挿入される貫通部５１をシールするシール材５に負担がかかりにくく、シール材５の劣化を遅らせ、シール材の交換周期が遅くなる。
【符号の説明】
【００２６】
１    チャンバ
２    フィルタ
３    フィルタ昇降手段
４    フィルタ押し付け枠
５    シール部
６    ガイド
７    ストッパ
１１  ガス導入口
１２  ガス排出口
１３、１３０  フィルタ交換口
２０  パッキン
２１  プレフィルタ
３１  上枠（フィルタ載置部）
３２  昇降部
３３  操作部
３４ａ  上部ガイド板
３４ｂ  下部ガイド板
３５  下枠
３６ａ、３６ｂ  支持脚
３７ａ、３７ｂ  車輪
３８ａ、３８ｂ  車軸
３９  ねじ棒
１３０  プレフィルタ交換口
１３１  バッグ
３５１  ボルト
３６１  連結軸
３８１  ねじ穴
【図１】
2016159283.tif 000003
【図２】
2016159283.tif 000004
【図３】
2016159283.tif 000005
【図４】
2016159283.tif 000006
【図５】
2016159283.tif 000007
【図６】
2016159283.tif 000008